(57)【要約】  【課題】  帯電し堆積した粉体を内部まで除電することができる除電装置付き粉体用篩装置を提供する。  【解決手段】  粉体装填部１１を筒状に構成し、その筒体内部に粉体を篩い分けする多孔板１２を取り付け、筒体の底部には、篩い分けされた粉体を外部に取り出すための粉体取り出し口１３を側方に突出するように設け、密閉用の蓋１４を取り付ける。筒体の底部には、イオン化気流発生部であるチャンバ型無発塵イオナイザー２０を取り付け、多孔板１２の下部空間にイオン化気流を供給するように構成する。【選択図】図１
2006198529.tif 000002
【特許請求の範囲】
【請求項１】
粉体装填部内に多孔板を設け、除電対象となる帯電した粉体を前記多孔板上に載置し、前記多孔板の下方からイオン化気流を供給して、前記帯電した粉体を流動化して浮遊させて、粉体粒子を除電することを特徴とする粉体の除電方法。
【請求項２】
粉体装填部内に設けられた多孔板と、
前記多孔板の下方に配設されたイオン化気流発生部を備え、
前記多孔板の上部空間において、前記イオン化気流発生部より供給されたイオン化気流によって粉体が流動化されて浮遊するように構成すると共に、
前記多孔板の下部空間に加圧部が形成されていることを特徴とする除電装置付き粉体用篩装置。
【請求項３】
粉体装填部内に設けられた篩網と、
前記篩網の下方に配設されたイオン化気流発生部と、
前記イオン化気流発生部に取り付けられたディストリビュータを備え、
前記篩網の上部空間において、前記イオン化気流発生部より供給されたイオン化気流によって粉体が流動化されて浮遊するように構成すると共に、
前記篩網の下部空間に加圧部が形成されていることを特徴とする除電装置付き粉体用篩装置。
【請求項４】
前記篩網の下部空間に設けられた粉体取り出し口の先端に、粉体の堆積量によって開閉が制御される蓋が取り付けられていることを特徴とする請求項３に記載の除電装置付き粉体用篩装置。
【請求項５】
チャンバ内に、該チャンバ内に供給されたイオン搬送ガスをイオン化するイオン化源を備えたイオナイザーであって、
前記チャンバ内に発生したイオン化気流を、所定の粉体装置の粉体装填部に供給するイオン化気流供給部を備え、
前記イオン化気流供給部が、多孔体から構成されていることを特徴とする粉体除電用イオナイザー。
【発明の詳細な説明】
【技術分野】
【０００１】
本発明は、帯電し堆積した粉体を内部まで除電することができる粉体の除電方法及び除電装置付き粉体用篩装置に関する。
【背景技術】
【０００２】
従来から、各種産業分野において、粉体をその粒径に応じて分別したり、粉体に混入した異物を除去するなどの目的で、種々の粉体用篩装置が用いられている（例えば、特許文献１等）。
【特許文献１】特開平８−２６８５３４号公報
【発明の開示】
【発明が解決しようとする課題】
【０００３】
しかしながら、粉体用篩装置においては、粉体が帯電し、帯電した粉体が堆積することがあった。このように帯電し堆積した粉体は、粉体の上から除電しようとしても表面だけが除電され、粉体の内部までは除電することができない。そのため、従来の粉体用篩装置では、粉体の種類によっては篩目に帯電した粉体が詰まり、迅速に篩い分けできない場合があった。また、帯電した粉体が粉体取り出し口に詰まり、迅速に粉体を供給できない場合があった。
【０００４】
本発明は、上述したような従来技術の問題点を解決するために提案されたものであり、その目的は、帯電し堆積した粉体を内部まで除電することができる粉体の除電方法及び除電装置付き粉体用篩装置を提供することにある。
【課題を解決するための手段】
【０００５】
上記課題を解決するため、請求項１に記載の粉体の除電方法は、粉体装填部内に多孔板を設け、除電対象となる帯電した粉体を前記多孔板上に載置し、前記多孔板の下方からイオン化気流を供給して、前記帯電した粉体を流動化して浮遊させて、粉体粒子を除電することを特徴とするものである。
【０００６】
上記のような構成を有する請求項１に記載の発明によれば、供給されたイオン化気流によって多孔板上に載置された帯電した粉体が流動化されて浮遊するため、個々の粉体粒子がイオンと接触しやすくなるため、効率良く除電することができる。
【０００７】
請求項２に記載の除電装置付き粉体用篩装置は、粉体装填部内に設けられた多孔板と、前記多孔板の下方に配設されたイオン化気流発生部を備え、前記多孔板の上部空間において、前記イオン化気流発生部より供給されたイオン化気流によって粉体が流動化されて浮遊するように構成すると共に、前記多孔板の下部空間に加圧部が形成されていることを特徴とするものである。
【０００８】
上記のような構成を有する請求項２に記載の発明によれば、供給されたイオン化気流によって多孔板上に載置された帯電した粉体が流動化されて浮遊するため、個々の粉体粒子がイオンと接触しやすくなるため、効率良く除電することができる。また、多孔板の孔を通過した粉体も、イオンで充たされている加圧部内においてさらに除電されるので、粉体粒子の除電を高精度に実施することができ、多孔板の孔の目詰まりや粉体取り出し口での粉体の詰まりを防止することができる。
【０００９】
請求項３に記載の除電装置付き粉体用篩装置は、粉体装填部内に設けられた篩網と、前記篩網の下方に配設されたイオン化気流発生部と、前記イオン化気流発生部に取り付けられたディストリビュータを備え、前記篩網の上部空間において、前記イオン化気流発生部より供給されたイオン化気流によって粉体が流動化されて浮遊するように構成すると共に、前記篩網の下部空間に加圧部が形成されていることを特徴とするものである。
【００１０】
上記のような構成を有する請求項３に記載の発明によれば、供給されたイオン化気流によって篩網上に載置された帯電した粉体が流動化されて浮遊するため、個々の粉体粒子がイオンと接触しやすくなるため、効率良く除電することができる。また、篩網の網目を通過した粉体も、イオンで充たされている加圧部内においてさらに除電されるので、粉体粒子の除電を高精度に実施することができ、篩網の網目の目詰まりや粉体取り出し口での粉体の詰まりを防止することができる。
【００１１】
請求項４に記載の発明は、請求項３に記載の除電装置付き粉体用篩装置において、前記篩網の下部空間に設けられた粉体取り出し口の先端に、粉体の堆積量によって開閉が制御される蓋が取り付けられていることを特徴とするものである。
上記のような構成を有する請求項４に記載の発明によれば、篩網の下部の加圧部の内圧をより高くすることができるので、効率良くイオン化気流を篩網上の粉体に供給することができ、除電効果が向上する。
【００１２】
請求項５に記載の粉体除電用イオナイザーは、チャンバ内に、該チャンバ内に供給されたイオン搬送ガスをイオン化するイオン化源を備えたイオナイザーであって、前記チャンバ内に発生したイオン化気流を、所定の粉体装置の粉体装填部に供給するイオン化気流供給部を備え、前記イオン化気流供給部が、多孔体から構成されていることを特徴とするものである。
上記のような構成を有する請求項５に記載の発明によれば、粉体装置の構造や種類を問わず、適宜粉体の除電が可能となる。
【発明の効果】
【００１３】
本発明によれば、帯電し堆積した粉体を内部まで除電することができる粉体の除電方法及び除電装置付き粉体用篩装置を提供することができる。
【発明を実施するための最良の形態】
【００１４】
以下、本発明に係る実施の形態（以下、実施形態という）について、図面を参照して具体的に説明する。
【００１５】
（１）第１実施形態
（１−１）構成
図１は、本発明に係る除電装置付き粉体用篩装置の構成を示す模式図である。
すなわち、本実施形態の除電装置付き粉体用篩装置１は、粉体装填部１１が筒状に構成され、その筒体内部には粉体を篩い分けする多孔板１２が取り付けられている。また、筒体の底部には、篩い分けされた粉体を外部に取り出すための粉体取り出し口１３が側方に突出するように設けられ、この粉体取り出し口１３には、密閉用の蓋１４が取り付けられている。さらに、筒体の底部には、イオン化気流発生部であるチャンバ型無発塵イオナイザー２０が取り付けられ、前記多孔板１２の下部空間（請求項の加圧部に対応）にイオン化気流を供給することができるように構成されている。
【００１６】
また、上記チャンバ型無発塵イオナイザー２０は、空気又は非反応性ガス（Ｎ2ガス等）をイオン化チャンバ２１の一部よりチャンバ内に流入させ、イオン化チャンバ２１に内蔵したイオン化源２２（例えば、軟Ｘ線発生装置の発生部、密封放射線同位元素、低エネルギーの電子線発生装置の発生部、紫外線発生装置の発生部、コロナ放電発生装置の発生部）でイオン化し、発生した正負イオンをイオン化チャンバ２１の出口より帯電体に供給して、除電する方式のイオナイザーである。
【００１７】
なお、前記空気又は非反応性ガス（Ｎ2ガス等）をイオン化チャンバ２１内に供給するライン上には、減圧弁２３、流量調節バルブ２４、流量計２５及びメンブレンフィルタ２６が取り付けられている。また、前記イオン化源２２の下流側には、そのイオン化源２２から発生する軟Ｘ線、密封放射線同位元素からの放射線、低エネルギーの電子線を遮蔽するために、遮蔽板２７等の遮蔽手段が設けられている。
【００１８】
（１−２）作用
以上のような構成を有する本実施形態の除電装置付き粉体用篩装置は、以下に述べるように作用する。
すなわち、帯電した粉体を、筒状の粉体装填部１１内に配設された多孔板１２上に置くと共に、多孔板１２の下部の空間（加圧部）に、前記チャンバ型無発塵イオナイザー２０より発生したイオン化気流を供給する。すると、そのイオン化気流が、多孔板１２の孔を通過して帯電した粉体内に供給される。その結果、粉体が浮遊し、個々の粉体粒子がイオン化気流によって除電される。
【００１９】
また、多孔板１２の孔を通過した粉体も、イオンで充たされている加圧部内において、さらに除電される。なお、イオン化気流の流量は、前記流量調節バルブ２４によって、粉体が吹きこぼれない程度に粉体を流動化することができるような流量に調整されるように構成されている。
【００２０】
（１−３）効果
このように、本実施形態によれば、帯電した粉体は、多孔板１２の上部空間（粉体流動部）において、供給されたイオン化気流によって流動化されて浮遊するため、効率良く除電される。また、多孔板の孔を通過した粉体も、イオンで充たされている加圧部内においてさらに除電されるので、粉体粒子の除電を高精度に実施することができる。その結果、多孔板の孔の目詰まりや粉体取り出し口での粉体の詰まりを防止することができるので、処理速度が速くなり、生産性が向上する。
【００２１】
（２）第２実施形態
（２−１）構成
図２（Ａ）は、本発明に係る除電装置付き粉体用篩装置の第２実施形態の構成を示す模式図である。
すなわち、本実施形態の除電装置付き粉体用篩装置３０は、粉体装填部３１が筒状に構成され、その筒体内部には粉体を篩い分けする篩網３２が取り付けられている。また、前記筒体は、前記篩網３２の下部にテーパー部３３が設けられ、さらにその下部には、篩い分けされた粉体を外部に取り出すための粉体取り出し口３４が設けられている。
【００２２】
さらに、前記篩網３２の下部には、イオン化気流発生部であるチャンバ型無発塵イオナイザー４０が取り付けられ、このチャンバ型無発塵イオナイザー４０には、前記篩網３２の下部に位置するように、十字型のディストリビュータ５０が取り付けられている。また、前記ディストリビュータ５０には、図２（Ｂ）に示すように、前記篩網３２の下部空間（加圧部）にイオン化気流を供給するための、イオン化気流放出ノズル５１が複数個形成されている。
【００２３】
また、上記チャンバ型無発塵イオナイザー４０は、空気又は非反応性ガス（Ｎ2ガス等）をイオン化チャンバ４１の一部よりチャンバ内に流入させ、イオン化チャンバ４１に内蔵したイオン化源４２（例えば、軟Ｘ線発生装置の発生部、密封放射線同位元素、低エネルギーの電子線発生装置の発生部、紫外線発生装置の発生部、コロナ放電発生装置の発生部）でイオン化し、発生した正負イオンをイオン化チャンバ４１の出口より帯電体に供給して、除電する方式のイオナイザーである。
【００２４】
なお、前記空気又は非反応性ガス（Ｎ2ガス等）をイオン化チャンバ４１内に供給するライン上には、図１と同様に、減圧弁４３、流量調節バルブ４４、流量計４５及びメンブレンフィルタ４６が取り付けられている。
【００２５】
（２−２）作用
以上のような構成を有する本実施形態の除電装置付き粉体用篩装置は、以下に述べるように作用する。
すなわち、帯電した粉体を、筒状の粉体装填部３１内に配設された篩網３２上に置くと共に、篩網３２の下部の空間（加圧部）にイオン化気流を供給する。すると、そのイオン化気流が、篩網３２の網目を通過して帯電した粉体内に供給される。その結果、粉体が浮遊し、個々の粉体粒子がイオン化気流によって除電される。
【００２６】
また、篩網３２の網目を通過した粉体も、イオンで充たされている加圧部内において、さらに除電される。なお、イオン化気流の流量は、前記流量調節バルブ４４によって、粉体が吹きこぼれない程度に粉体を流動化することができるような流量に調整されるように構成されている。
【００２７】
（２−３）効果
このように、本実施形態によれば、帯電した粉体は、篩網３２の上部空間（粉体流動部）において、供給されたイオン化気流によって流動化されて浮遊するため、効率良く除電される。また、篩網３２の網目を通過した粉体も、イオンで充たされている加圧部内においてさらに除電されるので、粉体粒子の除電を高精度に実施することができる。その結果、篩網３２の網目の目詰まりや粉体取り出し口での粉体の詰まりを防止することができるので、処理速度が速くなり、生産性が向上する。
【００２８】
（３）他の実施形態
本発明は、上述した実施形態に限定されるものではなく、図３に示すように、粉体取り出し口３４の先端に、粉体が一定量以上堆積すると自動的に開き、粉体を排出すると自動的に閉まる開閉蓋３５を設けることにより、篩網３２の下部の加圧部の内圧をより高くすることができる。なお、開閉蓋３５は、その開閉蓋３５に取り付けられた開閉制御部材３６に設けられたおもり３７を前後に動かすことにより、開閉蓋３５の開閉のタイミング及び開度を適宜調節できるように構成されている。
【００２９】
図３のように構成することにより、粉体の密度が大きい場合や篩網の抵抗が大きい場合に、粉体取り出し口３４の先端が開放されていると、篩網３２の下部の加圧部の内圧が低くなるため、粉体を流動化することが難しいといった問題点を解消することができる。
【００３０】
また、図４に示すように、イオン化気流発生部であるチャンバ型無発塵イオナイザー６０に、折り曲げ自在のチューブ６１等を介して、多孔体からなるイオン化気流供給部６２を取り付け、そのイオン化気流供給部６２を、粉体の貯蔵タンク６３等、種々の粉体装置の粉体装填部６４に配設しても良い。このような粉体除電用イオナイザーを用いることにより、粉体装置の構造や種類を問わず、適宜粉体の除電が可能となる。
【００３１】
また、イオン化源として、軟Ｘ線、密封放射線同位元素からの放射線を用いる場合は、空気もしくは負イオンを形成できる程度に負性ガスを含む非反応性ガス（Ｎ2ガス等）のいずれをイオン化してもオゾンが発生することがなく、電磁ノイズや発塵もない。
【００３２】
また、イオン化源として、低エネルギーの電子線、紫外線や沿面放電を用いる場合は、負イオンを発生できるが、オゾンが発生しない程度に酸素を含む非反応性ガス（高純度Ｎ2等）をイオン化することで、オゾン発生がなく、また、電磁ノイズや発塵もない。したがって、これらのイオン化源を使用する場合は、粉体を酸化したり、発塵により汚染したりすることなく除電が可能である。
【図面の簡単な説明】
【００３３】
【図１】本発明に係る除電装置付き粉体用篩装置の第１実施形態の構成を示す模式図である。
【図２】（Ａ）は、本発明に係る除電装置付き粉体用篩装置の第２実施形態の構成を示す模式図であり、（Ｂ）はディストリビュータの構成を示す平面図である。
【図３】本発明に係る除電装置付き粉体用篩装置の他の実施形態の構成を示す要部の模式図である。
【図４】本発明に係る粉体除電用イオナイザーの構成を示す模式図である。
【符号の説明】
【００３４】
１…粉体用篩装置
１１…粉体装填部
１２…多孔板
１３…粉体取り出し口
１４…蓋
２０、４０…チャンバ型無発塵イオナイザー
２１、４１…イオン化チャンバ
２２、４２…イオン化源
２３、４３…減圧弁
２４、４４…流量調節バルブ
２５、４５…流量計
２６、４６…メンブレンフィルタ
２７…遮蔽板
３０…粉体用篩装置
３１…粉体装填部
３２…篩網
３３…テーパー部
３４…粉体取り出し口
３５…開閉蓋
３６…開閉制御部材
３７…おもり
５０…ディストリビュータ
５１…イオン化気流放出ノズル
６０…チャンバ型無発塵イオナイザー
６１…チューブ
６２…イオン化気流供給部
６３…貯蔵タンク
６４…粉体装填部
【図１】
2006198529.tif 000003
【図２】
2006198529.tif 000004
【図３】
2006198529.tif 000005
【図４】
2006198529.tif 000006